(57)【要約】【課題】屋根に設けられた採光用の開口部の大きさに関わらず、例えば、当該開口部を覆う採光部材の撓みを防止することができる採光用構造体および採光用構造体の施工方法を提供すること。【解決手段】採光用構造体１は、屋根に設けられた採光用の開口部３０７を覆うように配置され、ｘ方向に沿って延在する少なくとも１つの凸条２１を有し、光が透過する採光部材２と、ｘ方向に沿って延在し、採光部材２をその下方から支持する、少なくとも１本の縦梁３とを備える。【選択図】図３
2019065468.tif 000002
【特許請求の範囲】
【請求項１】
互いに直交するｘ方向とｙ方向とを想定したとき、前記ｘ方向に沿って延在する屋根側凸条を複数有し、該複数の屋根側凸条が前記ｙ方向に沿って配置された屋根に設置され、屋内に光を採り入れる採光用構造体であって、
前記複数の屋根側凸条には、第１の屋根側凸条と、該第１の屋根側凸条と異なる位置にある第２の屋根側凸条とが含まれており、前記屋根は、前記第１の屋根側凸条の頂部と前記第２の屋根側凸条の頂部との間の部分に開口して形成された開口部を有するものであり、
当該採光用構造体は、前記開口部を覆うように配置され、前記ｘ方向に沿って延在する少なくとも１つの凸条を有し、光が透過する採光部材と、
前記ｘ方向に沿って延在し、前記採光部材をその下方から支持する、少なくとも１本の縦梁とを備えることを特徴とする採光用構造体。
【請求項２】
前記縦梁は、前記採光部材の前記凸部の裏側を支持する請求項１に記載の採光用構造体。
【請求項３】
前記縦梁は、前記ｘ方向に沿った長尺な板状をなし、その厚さ方向が前記ｙ方向と平行な第１板状部と、前記ｘ方向に沿った長尺な板状をなし、その幅方向が前記ｙ方向と平行な第２板状部とを有する請求項１または２に記載の採光用構造体。
【請求項４】
前記縦梁は、板部材を折り曲げて、前記第１板状部と前記第２板状部とを形成してなるものである請求項３に記載の採光用構造体。
【請求項５】
前記縦梁に対して前記採光部材を固定する固定部を備える請求項１ないし４のいずれか１項に記載の採光用構造体。
【請求項６】
前記固定部は、前記縦梁の上側から突出したボルトを有する請求項５に記載の採光用構造体。
【請求項７】
前記固定部は、前記縦梁の長手方向に沿って、複数配置されている請求項５または６に記載の採光用構造体。
【請求項８】
前記ｙ方向に沿って延在し、前記縦梁をその下方から支持する、少なくとも１本の横梁を備える請求項１ないし７のいずれか１項に記載の採光用構造体。
【請求項９】
前記縦梁をその端側から支持する支持部を備える請求項１ないし７のいずれか１項に記載の採光用構造体。
【請求項１０】
前記採光部材は、前記凸条が前記ｙ方向に沿って複数配置されたものである請求項１ないし９のいずれか１項に記載の採光用構造体。
【請求項１１】
請求項１ないし１０のいずれか１項に記載の採光用構造体を前記屋根に施工する方法であって、
前記開口部内に前記縦梁を設置する第１の工程と、
前記縦梁の上側に前記採光部材を設置する第２の工程とを有することを特徴とする採光用構造体の施工方法。
【発明の詳細な説明】
【技術分野】
【０００１】
本発明は、採光用構造体および採光用構造体の施工方法に関する。
【背景技術】
【０００２】
屋根には、屋内に屋外の光を取り込むための採光部が設けられていることがある。採光部は、屋根の一部に開口部を設け、その開口部を、光透過性を有する板材で覆った構造となっている（例えば、特許文献１参照）。
【０００３】
しかしながら、屋根に設けられた採光用の開口部の大きさによっては、当該開口部を覆う採光部材に撓みが生じる場合があった。
【先行技術文献】
【特許文献】
【０００４】
【特許文献１】特許第３３７３３８０号公報
【発明の概要】
【発明が解決しようとする課題】
【０００５】
本発明の目的は、屋根に設けられた採光用の開口部の大きさに関わらず、例えば、当該開口部を覆う採光部材の撓みを防止することができる採光用構造体および採光用構造体の施工方法を提供することにある。
【課題を解決するための手段】
【０００６】
このような目的は、下記（１）〜（１１）の本発明により達成される。
（１）  互いに直交するｘ方向とｙ方向とを想定したとき、前記ｘ方向に沿って延在する屋根側凸条を複数有し、該複数の屋根側凸条が前記ｙ方向に沿って配置された屋根に設置され、屋内に光を採り入れる採光用構造体であって、
前記複数の屋根側凸条には、第１の屋根側凸条と、該第１の屋根側凸条と異なる位置にある第２の屋根側凸条とが含まれており、前記屋根は、前記第１の屋根側凸条の頂部と前記第２の屋根側凸条の頂部との間の部分に開口して形成された開口部を有するものであり、
当該採光用構造体は、前記開口部を覆うように配置され、前記ｘ方向に沿って延在する少なくとも１つの凸条を有し、光が透過する採光部材と、
前記ｘ方向に沿って延在し、前記採光部材をその下方から支持する、少なくとも１本の縦梁とを備えることを特徴とする採光用構造体。
【０００７】
（２）  前記縦梁は、前記採光部材の前記凸部の裏側を支持する上記（１）に記載の採光用構造体。
【０００８】
（３）  前記縦梁は、前記ｘ方向に沿った長尺な板状をなし、その厚さ方向が前記ｙ方向と平行な第１板状部と、前記ｘ方向に沿った長尺な板状をなし、その幅方向が前記ｙ方向と平行な第２板状部とを有する上記（１）または（２）に記載の採光用構造体。
【０００９】
（４）  前記縦梁は、板部材を折り曲げて、前記第１板状部と前記第２板状部とを形成してなるものである上記（３）に記載の採光用構造体。
【００１０】
（５）  前記縦梁に対して前記採光部材を固定する固定部を備える上記（１）ないし（４）のいずれかに記載の採光用構造体。
【００１１】
（６）  前記固定部は、前記縦梁の上側から突出したボルトを有する上記（５）に記載の採光用構造体。
【００１２】
（７）  前記固定部は、前記縦梁の長手方向に沿って、複数配置されている上記（５）または（６）に記載の採光用構造体。
【００１３】
（８）  前記ｙ方向に沿って延在し、前記縦梁をその下方から支持する、少なくとも１本の横梁を備える上記（１）ないし（７）のいずれかに記載の採光用構造体。
【００１４】
（９）  前記縦梁をその端側から支持する支持部を備える上記（１）ないし（７）のいずれかに記載の採光用構造体。
【００１５】
（１０）  前記採光部材は、前記凸条が前記ｙ方向に沿って複数配置されたものである上記（１）ないし（９）のいずれかに記載の採光用構造体。
【００１６】
（１１）  上記（１）ないし（１０）のいずれかに記載の採光用構造体を前記屋根に施工する方法であって、
前記開口部内に前記縦梁を設置する第１の工程と、
前記縦梁の上側に前記採光部材を設置する第２の工程とを有することを特徴とする採光用構造体の施工方法。
【発明の効果】
【００１７】
本発明によれば、屋根に設けられた採光用の開口部の大きさに関わらず、例えば、当該開口部を覆う採光部材の撓みを防止することができる。
【図面の簡単な説明】
【００１８】
【図１】図１は、本発明の採光用構造体を工場の屋根に設置した状態を示す斜視図である。
【図２】図２は、図１中の採光用構造体の拡大斜視図である。
【図３】図３は、図２中の採光用構造体の分解斜視図である。
【図４】図４は、図１に示す採光用構造体を屋根に施工する方法（本発明の採光用構造体の施工方法）を順に示す概略垂直断面図である。
【図５】図５は、図１に示す採光用構造体を屋根に施工する方法（本発明の採光用構造体の施工方法）を順に示す概略垂直断面図である。
【図６】図６は、図１に示す採光用構造体を屋根に施工する方法（本発明の採光用構造体の施工方法）を順に示す概略垂直断面図である。
【図７】図７は、図１に示す採光用構造体を屋根に施工する方法（本発明の採光用構造体の施工方法）を順に示す概略垂直断面図である。
【図８】図８は、図１に示す採光用構造体を屋根に施工する方法（本発明の採光用構造体の施工方法）を順に示す概略垂直断面図である。
【図９】図９は、本発明の採光用構造体が備える縦梁の概略垂直断面図である。
【図１０】図１０は、本発明の採光用構造体を支持する横梁の設置状態を示す斜視図である。
【図１１】図１１は、本発明の採光用構造体が備える横梁の斜視図である。
【図１２】図１２は、本発明の採光用構造体の第２実施形態を示す分解斜視図である。
【図１３】図１３は、本発明の採光用構造体（第３実施形態）が備える縦梁の垂直断面図である。
【図１４】図１４は、本発明の採光用構造体（第４実施形態）が備える縦梁の垂直断面図である。
【図１５】図１５は、本発明の採光用構造体（第５実施形態）が備える縦梁の垂直断面図である。
【図１６】図１６は、本発明の採光用構造体（第６実施形態）が備える縦梁の垂直断面図である。
【図１７】図１７は、本発明の採光用構造体（第７実施形態）が備える縦梁の垂直断面図である。
【図１８】図１８は、本発明の採光用構造体（第８実施形態）が備える縦梁の垂直断面図である。
【図１９】図１９は、本発明の採光用構造体（第９実施形態）が備える縦梁の垂直断面図である。
【発明を実施するための形態】
【００１９】
以下、本発明の採光用構造体および採光用構造体の施工方法を添付図面に示す好適な実施形態に基づいて詳細に説明する。
【００２０】
＜第１実施形態＞
図１は、本発明の採光用構造体を工場の屋根に設置した状態を示す斜視図である。図２は、図１中の採光用構造体の拡大斜視図である。図３は、図２中の採光用構造体の分解斜視図である。図４〜図８は、それぞれ、図１に示す採光用構造体を屋根に施工する方法（本発明の採光用構造体の施工方法）を順に示す概略垂直断面図である。図９は、本発明の採光用構造体が備える縦梁の概略垂直断面図である。図１０は、本発明の採光用構造体を支持する横梁の設置状態を示す斜視図である。図１１は、本発明の採光用構造体が備える横梁の斜視図である。なお、以下では、説明の都合上、屋根の傾斜方向を「ｘ方向」、ｘ方向に直交する水平な方向を「ｙ方向」、鉛直方向を「ｚ方向」と言う。また、図１〜図１１中（図１２〜図１９についても同様）の上側を「上」または「上方」と言い、下側を「下」または「下方」と言うこともある。また、図１〜図８中（図１２についても同様）の左側を「左」または「左方」と言い、右側を「右」または「右方」と言うこともある。
【００２１】
図１に示すように、採光用構造体１は、例えば工場２０の屋根３０に設置して用いることができる。
【００２２】
まず、採光用構造体１について説明する前に、屋根３０について説明する。
屋根３０は、全体として、水平となっていてもよいが、壁際部３０１から軒先３０２に向かって傾斜しているのが好ましい。なお、屋根３０が傾斜している場合、その傾斜の程度（斜度）としては、特に限定されず、例えば、３％程度が好ましい。
【００２３】
例えば図４〜図８に示すように、屋根３０は、山状に突出し（隆起し）、ｘ方向に沿って延在する凸条（屋根側凸条）３０３を複数有している。そして、これらの凸条３０３は、ｙ方向に沿って等間隔に配置されている。これにより、屋根３０は、全体として波形をなすものとなる。また、各凸条３０３のｙ方向の両側には、それぞれ、傾斜面３０５を有している。
【００２４】
また、ｘ方向に隣接する凸条３０３同士間の部分は、溝３０４となっている。この溝３０４の底部３０６は、平面となっており、屋根３０の傾斜方向下方に向かって雨水等が流れることができる。これにより、屋根３０は、水はけがよいものとなる。
【００２５】
このような波形をなす屋根３０は、長尺状をなす金属板を幅方向に所定箇所折り曲げて、当該折り曲げられた金属板同士を組み合わせた構成となっている。このような屋根３０を一般的に「ハゼ式折板屋根」と言うことがある。
【００２６】
例えば、図３に示すように、屋根３０には、開口部３０７が形成されている。開口部３０７は、複数の凸条３０３をうちの任意の２つの凸条３０３の頂部３０８同士の間の部分を開口して、すなわち、欠損して形成されている。そして、屋根３０の開口部３０７には、採光用構造体１が設置されている。
【００２７】
なお、前記任意の２つの凸条３０３は、開口部３０７の大きさに応じて、第１の凸条（第１の屋根側凸条）３０３Ａと、第１の凸条３０３Ａと異なる位置にある第２の凸条（第２の屋根側凸条）３０３Ｂとして、適宜選択される。
【００２８】
次に、採光用構造体１について説明する。
図８に示すように、採光用構造体１は、屋外の光、すなわち、自然光ＮＬを屋内４０（工場２０内）に採り入れるものである。
【００２９】
図３、図８に示すように、採光用構造体１は、採光部材２と、縦梁（縦下地）３とを備えている。また、この採光用構造体１を横梁（横下地）４が支持している。
【００３０】
図２に示すように、採光部材２は、屋根３０の開口部３０７を覆うように配置されている。これにより、採光部材２を透過した自然光ＮＬを屋内４０に十分に採り込むことができる。
【００３１】
採光部材２は、自然光ＮＬが透過する程度の光透過性を有する樹脂材料で構成され、このような材料としては、特に限定されないが、例えば、ポリカーボネートが好ましい。なお、採光部材２は、透明なものであってもよいし、半透明なものであってもよいが、自然光ＮＬの透過率が５％以上、９５％以下であるのが好ましく、２０％以上、９０％以下であるのがより好ましい。また、採光部材２は、無色のものであってもよいし、有色のものであってもよい。
【００３２】
採光部材２は、山状に突出し（隆起し）、ｘ方向に沿って延在する凸条２１を複数（本実施形態では４つ）有している。そして、これらの凸条２１は、ｙ方向に沿って等間隔に配置されている。これにより、採光部材２は、全体として波形をなすものとなる。なお、ｙ方向に隣り合う凸条２１同士のピッチは、ｙ方向に隣り合う凸条３０３同士のピッチと同じである。これにより、屋根３０は、採光部材２を含んだ全体として、前記波形が揃った状態となり、よって、見栄えがよいものとなる。
【００３３】
なお、採光部材２が有する凸条２１の形成数は、本実施形態では４つであるが、これに限定されず、開口部３０７の大きさ等の各種諸条件によっては、例えば、１つ、２つ、３つまたは５つ以上であってもよい。また、本実施形態では開口部３０７を１枚の採光部材２で覆っているが、これに限定されず、例えば、２枚以上の採光部材２で覆ってもよい。
【００３４】
図８に示すように、複数の凸条２１のうちの、ｙ方向の最も負側（図８中の最も左側）に位置する第１の凸条２１Ａは、採光部材２が開口部３０７を覆うように配置された際、屋根３０の第１の凸条３０３Ａに上側から重なって係合する。一方、複数の凸条２１のうちの、ｙ方向の最も正側（図８中の最も右側）に位置する第２の凸条２１Ｂは、採光部材２が開口部３０７を覆うように配置された際、屋根３０の第２の凸条３０３Ｂに上側から重なって係合する。また、第１の凸条２１Ａと第２の凸条２１Ｂとの間の各凸条２１も、第１の凸条３０３Ａと第２の凸条３０３Ｂとの間の各凸条３０３に上側から重なって係合するのが好ましい。
【００３５】
凸条２１のｙ方向の両側面は、それぞれ、傾斜面２１１となっている。傾斜面２１１同士がなす角度は、各凸条３０３における傾斜面３０５同士のなす角度と同じであってもよいし、異なっていてもよい。
【００３６】
また、図７に示すように、凸条２１の平坦な頂部２１２には、貫通孔２１３が貫通して形成されている。この貫通孔２１３には、後述する固定部５のボルト５１が挿通する。
【００３７】
ｘ方向に隣接する凸条２１同士間の部分は、溝２２となっている。この溝２２の底部２２１は、平面となっており、屋根３０の傾斜方向下方に向かって雨水等が流れることができる。これにより、屋根３０は、水はけがよいものとなる。
【００３８】
図２、図３、図８に示すように、縦梁３は、採光部材２をその下方から支持する梁である。縦梁３は、ｘ方向に沿って延在している。本実施形態では、縦梁３は、２本設置されている。これらの縦梁３は、ｙ方向に間隔を置いて配置されている。この間隔（ピッチ）は、ｙ方向に隣り合う凸条２１同士のピッチと同じである。そして、図８に示すように、各縦梁３は、第１の凸条２１Ａと第２の凸条２１Ｂとの間にある各凸条２１の頂部２１２の裏側を支持している。このような縦梁３が設置されていることにより、屋根３０の採光用の開口部３０７の大きさに関わらず、例えば、当該開口部３０７を覆う採光部材２の自重による撓みを確実に防止することができる。また、採光部材２の脱落や座屈等を防ぎ、積雪荷重や風圧力に対する耐荷重性を向上させることができる。
【００３９】
なお、縦梁３の設置本数は、本実施形態では２本であるが、これに限定されず、例えば、開口部３０７の大きさ、採光部材２の重量等の各種諸条件によっては、１本または３本以上としてもよい。
【００４０】
図９に示すように、縦梁３は、第１板状部３１１と、第２板状部３１２と、第２板状部３１３とを有する構造のものとなっている。第１板状部３１１、第２板状部３１２および第２板状部３１３は、いずれも、ｘ方向に沿った長尺な板状をなす部分である。第１板状部３１１は、その厚さ方向がｙ方向と平行となっている。第２板状部３１２は、第１板状部３１１に対して、ｚ方向正側に位置しており、ｙ方向正側に突出している。一方、第２板状部３１３は、第１板状部３１１に対して、ｚ方向負側に位置しており、ｙ方向正側に突出している。また、第２板状部３１２および第２板状部３１３は、それぞれ、その幅方向がｙ方向と平行となっている。このような構造の縦梁３は、板部材を所定箇所で直角に折り曲げて、第１板状部３１１と、第２板状部３１２と、第２板状部３１３とを形成してなるものである。これにより、縦梁３自身の剛性が向上し、よって、採光部材２を十分に支持して、採光部材２の撓み等をより確実に防止することができる。また、例えば、降雪により採光部材２が積雪状態となったとしても、採光部材２が雪の重量により撓むのを防止することができる。
【００４１】
なお、縦梁３は、例えば、鉄製のものである。この場合、縦梁３の表面には、例えば、防錆めっき等の表面処理が施されているのが好ましい。
【００４２】
図３、図８に示すように、横梁４は、縦梁３を採光部材２ごと、その下方から支持する梁である。横梁４は、ｙ方向に沿って延在している。図３、図１０に示すように、本実施形態では、横梁４は、２本設置されている。これらの横梁４は、ｘ方向に間隔を置いて配置されている。この間隔（ピッチ）は、縦梁３の全長に応じて、好適に設定されている。これにより、縦梁３をその長手方向の途中の２箇所で支持することができ、よって、縦梁３を採光部材２ごと十分に支持することができる。
【００４３】
また、横梁４の設置本数は、本実施形態では２本であるが、これに限定されず、例えば、開口部３０７の大きさ、縦梁３の全長等の各種諸条件によっては、１本または３本以上としてもよい。
【００４４】
図１１に示すように、各横梁４は、一例として、第１板状部４１１と、第２板状部４１２と、第２板状部４１３とを有する構造のものとなっている。第１板状部４１１、第２板状部４１２および第２板状部４１３は、いずれも、ｙ方向に沿った長尺な板状をなす部分である。第１板状部４１１は、その厚さ方向がｘ方向と平行となっている。第２板状部４１２は、第１板状部４１１に対して、ｚ方向正側に位置している。一方、第２板状部４１３は、第１板状部４１１に対して、ｚ方向負側に位置している。また、第２板状部４１２および第２板状部４１３は、それぞれ、その幅方向がｘ方向と平行となっている。このような構造の縦梁３は、第１板状部４１１、第２板状部４１２および第２板状部４１３の各板状部になり得る部材を所定箇所で溶接してなるものである。これにより、横梁４自身の剛性が向上し、よって、縦梁３を採光部材２ごと十分に支持することができる。
【００４５】
なお、横梁４は、例えば、鉄製のものである。この場合、横梁４の表面には、例えば、防錆めっき等の表面処理が施されているのが好ましい。
【００４６】
図８に示すように、採光用構造体１は、縦梁３に対して採光部材２を固定する固定部５を備えている。なお、固定部５は、屋根３０に対する採光部材２の固定にも用いられる。また、図２、図３に示すように、固定部５は、縦梁３の長手方向に沿って、等間隔に複数配置されている。これにより、例えば、風等により採光部材２がめくれてしまうのを確実に防止することができる。
【００４７】
各固定部５は、配置箇所が異なること以外は、同じ構成であるため、以下、１つの固定部５について代表的に説明する。
【００４８】
固定部５は、縦梁３の上側から突出したボルト５１と、ボルト５１が連結され、縦梁３に係合する係合部５２とを有している。
【００４９】
ボルト５１は、採光部材２の頂部２１２の貫通孔２１３を挿通する。そして、貫通孔２１３から突出したボルト５１には、ナット５３を螺合させることができる（図８参照）。これにより、縦梁３に対して採光部材２を固定することができる。このように、固定部５は、ボルト５１にナット５３を締め込む（締結する）という簡単な構成で、採光部材２を容易に固定することができる。
【００５０】
係合部５２は、縦梁３の第２板状部３１２に、例えば挟持により係合する部分である。この係合により、固定部５が縦梁３から離脱するのを防止することができる。
【００５１】
また、採光部材２は、固定部５を介して、頂部２１２で固定する構成となっている。この構成は、採光部材２の溝２２で固定した場合に比べて、貫通孔２１３から雨水等が浸入してくるのを確実に防止することができる。また、採光部材２を固定部５上に載置する際の作業性にも優れている。
【００５２】
前述したように、固定部５は、屋根３０に対する採光部材２の固定にも用いられる。屋根３０の第１の凸条３０３Ａおよび第２の凸条３０３Ｂの頂部には、それぞれ、固定部５の係合部５２が係合する突片３０９が突出して形成されている。これにより、固定部５が第１の凸条３０３Ａや第２の凸条３０３Ｂから離脱するのを防止することができる。
【００５３】
次に、採光用構造体１を屋根３０に施工する施工方法（本発明の採光用構造体１の施工方法）について、図４〜図８を参照しつつ説明する。この施工方法は、第１の工程と、第２の工程と、第３の工程とを有する。
【００５４】
［１］  第１の工程
図４に示すように、屋根３０には、予め開口部３０７が設けられている。また、屋根３０の第１の凸条３０３Ａおよび第２の凸条３０３Ｂには、それぞれ、固定部５が装着されているのが好ましい。
【００５５】
図５、図６に示すように、開口部３０７内に２本の縦梁３をそれぞれ設置、固定する。各縦梁３の設置箇所は、ｘ方向から見たとき、第１の凸条３０３Ａと第２の凸条３０３Ｂとの間の各凸条３０３と重なる位置である。また、各縦梁３にも固定部５が装着されているのが好ましい。
【００５６】
［２］  第２の工程
図７、図８に示すように、縦梁３の上側に採光部材２を設置する。このとき、採光部材２の第１の凸条２１Ａを、屋根３０の第１の凸条３０３Ａに上側から重ねて係合させる。また、採光部材２の第２の凸条２１Ｂを、屋根３０の第２の凸条３０３Ｂに上側から重ねて係合させる。さらに、各固定部５のボルト５１を、採光部材２の貫通孔２１３に挿通させる。
【００５７】
［３］  第３の工程
図８に示すように、各固定部５のボルト５１にナット５３を螺合させる。これにより、採光部材２が固定される。
【００５８】
以上のような工程を経ることにより、屋根３０への採光用構造体１の施工を迅速かつ確実に行なうことができる。
【００５９】
＜第２実施形態＞
図１２は、本発明の採光用構造体の第２実施形態を示す分解斜視図である。
【００６０】
以下、この図を参照して本発明の採光用構造体および採光用構造体の施工方法の第２実施形態について説明するが、前述した実施形態との相違点を中心に説明し、同様の事項はその説明を省略する。
【００６１】
本実施形態は、縦梁を支持する構造が異なること以外は前記第１実施形態と同様である。
【００６２】
図１２に示すように、本実施形態では、採光用構造体１は、縦梁３をその端側から支持する支持部６を備えている。支持部６は、２つの支持部材（タイトフレーム）６１を有している。２つの支持部材６１のうちの一方の支持部材６１は、ｘ方向負側に位置する横梁４の第２板状部４１２上に固定されている。また、他方の支持部材６１は、ｘ方向正側に位置する横梁４の第２板状部４１２上に固定されている。これら２つの支持部材６１は、配置箇所が異なること以外は、同じ構成であるため、以下、１つの支持部材６１について代表的に説明する。
【００６３】
支持部材６１は、長尺状をなす金属板を、その長手方向の途中の所定箇所を折り曲げて、複数の凸部６２を形成した部材である。凸部６２のｙ方向の両側面は、それぞれ、傾斜面６２１となっている。傾斜面６２１同士がなす角度は、各凸条３０３における傾斜面３０５同士のなす角度と同じである。また、凸部６２の頂部６２２は、平坦となっている。
【００６４】
そして、縦梁３は、一方の支持部材６１の凸部６２と、他方の支持部材６１の凸部６２との間に、連結部材（図示せず）を介して、両持ち支持される。これにより、縦梁３は、採光部材２を支持可能な状態となる。
【００６５】
＜第３実施形態＞
図１３は、本発明の採光用構造体（第３実施形態）が備える縦梁の垂直断面図である。
【００６６】
以下、この図を参照して本発明の採光用構造体および採光用構造体の施工方法の第３実施形態について説明するが、前述した実施形態との相違点を中心に説明し、同様の事項はその説明を省略する。
本実施形態は、縦梁の形状が異なること以外は前記第１実施形態と同様である。
【００６７】
図１３に示すように、本実施形態では、縦梁３は、第１板状部３２１と、第２板状部３２２と、第２板状部３２３とを有する構造のものとなっている。第１板状部３２１、第２板状部３２２および第２板状部３２３は、いずれも、ｘ方向に沿った長尺な板状をなす部分である。第１板状部３２１は、その厚さ方向がｙ方向と平行となっている。第２板状部３２２は、第１板状部３２１に対して、ｚ方向正側に位置している。一方、第２板状部３２３は、第１板状部３２１に対して、ｚ方向負側に位置している。また、第２板状部３２２および第２板状部３２３は、それぞれ、その幅方向がｙ方向と平行となっている。このような構造の縦梁３は、第１板状部３２１、第２板状部３２２および第２板状部３２３の各板状部になり得る部材を所定箇所で溶接してなるものである。これにより、縦梁３自身の剛性が向上し、よって、採光部材２を十分に支持することができる。
【００６８】
＜第４実施形態＞
図１４は、本発明の採光用構造体（第４実施形態）が備える縦梁の垂直断面図である。
【００６９】
以下、この図を参照して本発明の採光用構造体および採光用構造体の施工方法の第４実施形態について説明するが、前述した実施形態との相違点を中心に説明し、同様の事項はその説明を省略する。
本実施形態は、縦梁の形状が異なること以外は前記第１実施形態と同様である。
【００７０】
図１４に示すように、本実施形態では、縦梁３は、第１板状部３３１と、第２板状部３３２と、第２板状部３３３とを有する構造のものとなっている。第１板状部３３１、第２板状部３３２および第２板状部３３３は、いずれも、ｘ方向に沿った長尺な板状をなす部分である。第１板状部３３１は、その厚さ方向がｙ方向と平行となっている。第２板状部３３２は、第１板状部３３１に対して、ｚ方向正側に位置しており、ｙ方向正側に突出している。一方、第２板状部３３３は、第１板状部３３１に対して、ｚ方向負側に位置しており、ｙ方向負側に突出している。また、第２板状部３３２および第２板状部３３３は、それぞれ、その幅方向がｙ方向と平行となっている。このような構造の縦梁３は、板部材を所定箇所で直角に折り曲げて、第１板状部３３１と、第２板状部３３２と、第２板状部３３３とを形成してなるものである。これにより、縦梁３自身の剛性が向上し、よって、採光部材２を十分に支持することができる。
【００７１】
＜第５実施形態＞
図１５は、本発明の採光用構造体（第５実施形態）が備える縦梁の垂直断面図である。
【００７２】
以下、この図を参照して本発明の採光用構造体および採光用構造体の施工方法の第５実施形態について説明するが、前述した実施形態との相違点を中心に説明し、同様の事項はその説明を省略する。
本実施形態は、縦梁の形状が異なること以外は前記第１実施形態と同様である。
【００７３】
図１５に示すように、本実施形態では、縦梁３は、第１板状部３４１と、第２板状部３４２と、第２板状部３４３とを有する構造のものとなっている。第１板状部３４１、第２板状部３４２および第２板状部３４３は、いずれも、ｘ方向に沿った長尺な板状をなす部分である。第１板状部３４１は、その厚さ方向がｙ方向と平行となっている。第２板状部３４２は、第１板状部３４１に対して、ｚ方向正側に位置しており、ｙ方向正側に突出している。一方、第２板状部３４３は、第１板状部３４１に対して、ｚ方向負側に位置している。また、第２板状部３４２および第２板状部３４３は、それぞれ、その幅方向がｙ方向と平行となっている。このような構造の縦梁３は、板部材を所定箇所で直角に折り曲げて、第１板状部３４１と、第２板状部３４２とを形成する。さらに、縦梁３は、別体の板部材を第２板状部３４３として、第１板状部３４１に所定箇所で溶接してなるものである。これにより、縦梁３自身の剛性が向上し、よって、採光部材２を十分に支持することができる。
【００７４】
＜第６実施形態＞
図１６は、本発明の採光用構造体（第６実施形態）が備える縦梁の垂直断面図である。
【００７５】
以下、この図を参照して本発明の採光用構造体および採光用構造体の施工方法の第６実施形態について説明するが、前述した実施形態との相違点を中心に説明し、同様の事項はその説明を省略する。
本実施形態は、縦梁の形状が異なること以外は前記第１実施形態と同様である。
【００７６】
図１６に示すように、本実施形態では、縦梁３は、第１板状部３５１と、第１板状部３５２と、第２板状部３５３と、第２板状部３５４と、第２板状部３５５とを有する構造のものとなっている。第１板状部３５１、第１板状部３５２、第２板状部３５３、第２板状部３５４、第２板状部３５５は、いずれも、ｘ方向に沿った長尺な板状をなす部分である。第１板状部３５１および第１板状部３５２は、その厚さ方向がｙ方向と平行となっており、互いに対向している。第２板状部３５３は、第１板状部３５１および第１板状部３５２に対して、ｚ方向正側に位置している。第２板状部３５４は、第１板状部３５１に対して、ｚ方向負側に位置しており、ｙ方向負側に突出している。第２板状部３５４は、第１板状部３５２に対して、ｚ方向負側に位置しており、ｙ方向正側に突出している。また、第２板状部３５３、第２板状部３５４および第２板状部３５５は、それぞれ、その幅方向がｙ方向と平行となっている。このような構造の縦梁３を得るには、板部材を所定箇所で直角に折り曲げて、第１板状部３５１と、第２板状部３５３と、第２板状部３５４とを形成する。また、板部材を所定箇所で直角に折り曲げて、第１板状部３５２と、第２板状部３５５とを形成する。そして、これら２つの板部材同士を所定箇所で溶接して、縦梁３を得る。このようにして得られた縦梁３は、それ自身の剛性が向上し、よって、採光部材２を十分に支持することができる。
【００７７】
＜第７実施形態＞
図１７は、本発明の採光用構造体（第７実施形態）が備える縦梁の垂直断面図である。
【００７８】
以下、この図を参照して本発明の採光用構造体および採光用構造体の施工方法の第７実施形態について説明するが、前述した実施形態との相違点を中心に説明し、同様の事項はその説明を省略する。
本実施形態は、縦梁の形状が異なること以外は前記第１実施形態と同様である。
【００７９】
図１７に示すように、本実施形態では、縦梁３は、第１板状部３６１と、第１板状部３６２と、第２板状部３６３と、第２板状部３６４とを有する構造のものとなっている。第１板状部３６１、第１板状部３６２、第２板状部３６３、第２板状部３６４は、いずれも、ｘ方向に沿った長尺な板状をなす部分である。第１板状部３６１および第１板状部３６２は、その厚さ方向がｙ方向と平行となっており、互いに対向している。第２板状部３６３は、第１板状部３６１および第１板状部３６２に対して、ｚ方向正側に位置している。第２板状部３６４は、第１板状部３６１および第１板状部３６２に対して、ｚ方向負側に位置している。また、第２板状部３６３および第２板状部３６４は、それぞれ、その幅方向がｙ方向と平行となっている。このような構造の縦梁３を得るには、板部材を所定箇所で直角に折り曲げて、第１板状部３６１と、第２板状部３６４とを形成する。また、板部材を所定箇所で直角に折り曲げて、第１板状部３６２と、第２板状部３６３とを形成する。そして、これら２つの板部材同士を所定箇所で溶接して、縦梁３を得る。このようにして得られた縦梁３は、それ自身の剛性が向上し、よって、採光部材２を十分に支持することができる。
【００８０】
＜第８実施形態＞
図１８は、本発明の採光用構造体（第８実施形態）が備える縦梁の垂直断面図である。
【００８１】
以下、この図を参照して本発明の採光用構造体および採光用構造体の施工方法の第８実施形態について説明するが、前述した実施形態との相違点を中心に説明し、同様の事項はその説明を省略する。
本実施形態は、縦梁の形状が異なること以外は前記第７実施形態と同様である。
【００８２】
図１８に示すように、本実施形態では、縦梁３は、第１板状部３６１と第１板状部３６２との間隔がｚ方向正側に向かって漸増したものとなっている。このような縦梁３によっても、採光部材２を十分に支持することができる。
【００８３】
＜第９実施形態＞
図１９は、本発明の採光用構造体（第９実施形態）が備える縦梁の垂直断面図である。
【００８４】
以下、この図を参照して本発明の採光用構造体および採光用構造体の施工方法の第９実施形態について説明するが、前述した実施形態との相違点を中心に説明し、同様の事項はその説明を省略する。
本実施形態は、縦梁の形状が異なること以外は前記第１実施形態と同様である。
【００８５】
図１９に示すように、本実施形態では、縦梁３は、第１板状部３５１と第１板状部３５２との間隔がｚ方向負側に向かって漸増したものとなっている。このような縦梁３によっても、採光部材２を十分に支持することができる。
【００８６】
以上、本発明の採光用構造体および採光用構造体の施工方法を図示の実施形態について説明したが、本発明は、これに限定されるものではない。また、採光用構造体を構成する各部は、同様の機能を発揮し得る任意の構成のものと置換することができる。また、任意の構成物が付加されていてもよい。
【００８７】
また、本発明の採光用構造体および採光用構造体の施工方法は、前記各実施形態のうちの、任意の２以上の構成（特徴）を組み合わせたものであってもよい。
【００８８】
縦梁は、前記各実施形態では、採光部材の凸条の裏側から当接して、採光部材を支持しているが、これに限定されない。例えば、縦梁が、採光部材の溝の裏側から当接して、採光部材を支持してもよい。
【符号の説明】
【００８９】
１            採光用構造体
２            採光部材
２１          凸条
２１Ａ        第１の凸条
２１Ｂ        第２の凸条
２１１        傾斜面
２１２        頂部
２１３        貫通孔
２２          溝
２２１        底部
３            縦梁（縦下地）
３１１        第１板状部
３１２        第２板状部
３１３        第２板状部
３２１        第１板状部
３２２        第２板状部
３２３        第２板状部
３３１        第１板状部
３３２        第２板状部
３３３        第２板状部
３４１        第１板状部
３４２        第２板状部
３４３        第２板状部
３５１        第１板状部
３５２        第１板状部
３５３        第２板状部
３５４        第２板状部
３５５        第２板状部
３６１        第１板状部
３６２        第１板状部
３６３        第２板状部
３６４        第２板状部
４            横梁（横下地）
４１１        第１板状部
４１２        第２板状部
４１３        第２板状部
５            固定部
５１          ボルト
５２          係合部
５３          ナット
６            支持部
６１          支持部材（タイトフレーム）
６２          凸部
６２１        傾斜面
６２２        頂部
２０          工場
３０          屋根
３０１        壁際部
３０２        軒先
３０３        凸条（屋根側凸条）
３０３Ａ      第１の凸条（第１の屋根側凸条）
３０３Ｂ      第２の凸条（第２の屋根側凸条）
３０４        溝
３０５        傾斜面
３０６        底部
３０７        開口部
３０８        頂部
３０９        突片
４０          屋内
ＮＬ          自然光
【図１】
2019065468.tif 000003
【図２】
2019065468.tif 000004
【図３】
2019065468.tif 000005
【図４】
2019065468.tif 000006
【図５】
2019065468.tif 000007
【図６】
2019065468.tif 000008
【図７】
2019065468.tif 000009
【図８】
2019065468.tif 000010
【図９】
2019065468.tif 000011
【図１０】
2019065468.tif 000012
【図１１】
2019065468.tif 000013
【図１２】
2019065468.tif 000014
【図１３】
2019065468.tif 000015
【図１４】
2019065468.tif 000016
【図１５】
2019065468.tif 000017
【図１６】
2019065468.tif 000018
【図１７】
2019065468.tif 000019
【図１８】
2019065468.tif 000020
【図１９】
2019065468.tif 000021